(57)【特許請求の範囲】
【請求項１】
所定の利用者に配布されたカードの挿入を受け付けて、当該カードを一意に特定するために付与されているカード番号を含んだカード利用情報を送信する利用情報送信端末と、当該カードの利用者が所有する通信機と、当該利用情報送信端末から受信したカード利用情報を用いて、当該カードの利用に関する処理を行うカード利用処理装置とからなるカード利用処理システムであって、
前記カード利用処理装置は、
前記カード番号と、前記通信機の固有情報である固有ＩＤとを対応付けてあらかじめ記憶する記憶手段と、
前記利用情報送信端末から前記カード利用情報を受信した場合に、前記記憶手段に記憶されている前記固有ＩＤの中から、当該受信されたカード利用情報に含まれているカード番号に対応付けられた固有ＩＤを検索する固有ＩＤ検索手段と、
前記固有ＩＤ検索手段により検索された固有ＩＤの通信機に対してコールを行い、自己の固有情報である装置固有ＩＤを発信元としてカード利用者に通知する発信元通知手段と、
前記発信元通知手段によりカード利用者に通知された前記装置固有ＩＤに対して前記通信機からのコールバックがあった場合には、前記カードの利用に対する確認応答をカード利用者に要求する確認応答要求手段と、
を備えたことを特徴とするカード利用処理システム。
【請求項２】
前記利用情報送信端末は、前記カード番号の他に、当該カードの利用内容に関する情報を含んだカード利用情報を送信するものであって、
前記確認応答要求手段は、前記発信元通知手段によりカード利用者に通知された前記装置固有ＩＤに対して前記通信機からのコールバックがあった場合には、前記カードの利用内容に関する情報の内容についての音声を発信して、当該カードの利用内容に対する確認応答をカード利用者に要求することを特徴とする請求項１に記載のカード利用処理システム。
【請求項３】
前記確認応答要求手段は、前記発信元通知手段によりカード利用者に通知された前記装置固有ＩＤに対して前記通信機からのコールバックがあった場合には、前記利用情報送信端末にＷＥＢ画面を表示させて、当該カードの利用に対する確認応答をカード利用者に要求することを特徴とする請求項１に記載のカード利用処理システム。
【請求項４】
所定の利用者に配布されたカードの利用に関する処理を行うカード利用処理装置であって、
ユーザが利用するカードを一意に特定するために付与されているカード番号と、当該カードの所有者であるユーザの通信機の固有情報である固有ＩＤとを対応付けてあらかじめ記憶する記憶手段と、
ユーザが利用するカードの挿入を受け付けた利用情報送信端末から前記カード番号を受信した場合に、前記記憶手段に記憶されている前記固有ＩＤの中から、当該受信された利用情報に含まれているカード番号に対応付けられた固有ＩＤを検索する固有ＩＤ検索手段と、
前記固有ＩＤ検索手段により検索された固有ＩＤの通信機に対してコールを行い、自己の固有情報である装置固有ＩＤを発信元としてユーザに通知する発信元通知手段と、
前記発信元通知手段によりユーザに通知された前記装置固有ＩＤに対して前記通信機からのコールバックがあった場合には、前記カードの利用に対する確認応答をユーザに要求する確認応答要求手段と、
を備えたことを特徴とするカード利用処理装置。
【請求項５】
所定の利用者に配布されたカードの挿入を受け付けて、当該カードを一意に特定するために付与されているカード番号を含んだカード利用情報を送信する利用情報送信端末と、当該カードの利用者が所有する通信機と、当該利用情報送信端末から受信したカード利用情報を用いて、当該カードの利用に関する処理をカード利用処理装置において実行するカード利用処理方法であって、
前記カード番号と、前記通信機の固有情報である固有ＩＤとを対応付けてあらかじめ記憶部に記憶する記憶工程と、
前記利用情報送信端末から前記カード利用情報を受信した場合に、前記記憶工程により記憶部にあらかじめ記憶されている前記固有ＩＤの中から、当該受信されたカード利用情報に含まれているカード番号に対応付けられた固有ＩＤを検索する固有ＩＤ検索工程と、
前記固有ＩＤ検索工程により検索された固有ＩＤの通信機に対してコールを行い、自己の固有情報である装置固有ＩＤを発信元としてカード利用者に通知する発信元通知工程と、
前記発信元通知工程によりカード利用者に通知された前記装置固有ＩＤに対して前記通信機からのコールバックがあった場合には、前記カードの利用に対する確認応答をカード利用者に要求する確認応答要求工程と、
を含んだことを特徴とするカード利用処理方法。
【請求項６】
前記利用情報送信端末は、前記カード番号の他に、当該カードの利用内容に関する情報を含んだカード利用情報を送信するものであって、
前記確認応答要求工程は、前記発信元通知工程によりカード利用者に通知された前記装置固有ＩＤに対して前記通信機からのコールバックがあった場合には、前記カードの利用内容に関する情報の内容についての音声を発信して、当該カードの利用内容に対する確認応答をカード利用者に要求することを特徴とする請求項５に記載のカード利用処理方法。
【請求項７】
前記確認応答要求工程は、前記発信元通知工程によりカード利用者に通知された前記装置固有ＩＤに対して前記通信機からのコールバックがあった場合には、前記利用情報送信端末にＷＥＢ画面を表示させて、当該カードの利用内容に対する確認応答をカード利用者に要求することを特徴とする請求項５に記載のカード利用処理方法。
【請求項８】
所定の利用者に配布されたカードの挿入を受け付けて、当該カードを一意に特定するために付与されているカード番号を含んだカード利用情報を送信する利用情報送信端末と、当該カードの利用者が所有する通信機と、当該利用情報送信端末から受信したカード利用情報を用いて、当該カードの利用に関する処理をカード利用処理装置であるコンピュータに実行させるカード利用処理プログラムであって、
前記カード利用処理装置であるコンピュータに、
前記カード番号と、前記通信機の固有情報である固有ＩＤとを対応付けてあらかじめ記憶部に記憶する記憶手順と、
前記利用情報送信端末から前記カード利用情報を受信した場合に、前記記憶手順により記憶部にあらかじめ記憶されている前記固有ＩＤの中から、当該受信されたカード利用情報に含まれているカード番号に対応付けられた固有ＩＤを検索する固有ＩＤ検索手順と、
前記固有ＩＤ検索手順により検索された固有ＩＤの通信機に対してコールを行い、自己の固有情報である装置固有ＩＤを発信元としてカード利用者に通知する発信元通知手順と、
前記発信元通知手順によりカード利用者に通知された前記装置固有ＩＤに対して前記通信機からのコールバックがあった場合には、前記カードの利用に対する確認応答をカード利用者に要求する確認応答要求手順と、
を実行させることを特徴とするカード利用処理プログラム。
【請求項９】
前記利用情報送信端末は、前記カード番号の他に、当該カードの利用内容に関する情報を含んだカード利用情報を送信するものであって、
前記確認応答要求手順は、前記発信元通知手順によりカード利用者に通知された前記装置固有ＩＤに対して前記通信機からのコールバックがあった場合には、前記カードの利用内容に関する情報の内容についての音声を発信して、当該カードの利用内容に対する確認応答をカード利用者に要求することを特徴とする請求項８に記載のカード利用処理プログラム。
【請求項１０】
前記確認応答要求手順は、前記発信元通知手順によりカード利用者に通知された前記装置固有ＩＤに対して前記通信機からのコールバックがあった場合には、前記利用情報送信端末にＷＥＢ画面を表示させて、当該カードの利用内容に対する確認応答をカード利用者に要求することを特徴とする請求項８に記載のカード利用処理プログラム。
【発明の詳細な説明】
【技術分野】
【０００１】
この発明は、利用者の信用に基づいて発行されたカードの挿入を受け付けて、当該カードを一意に特定するために付与されているカード番号、および当該カードの利用内容に関する情報を含んだカード利用情報を送信する利用情報送信端末と、当該カード利用者が所有する通信機と、当該利用情報送信端末から受信したカード利用情報を用いて、当該カードの利用に関する処理を行うカード利用処理装置とからなるカード利用処理システム、カード利用処理装置、当該カード利用装置において実行されるカード利用処理方法、および当該カード利用装置であるコンピュータに実行させるカード利用処理プログラムに関する。
【背景技術】
【０００２】
従来から、正規のユーザに対して提供される各種サービスが存在する。例えば、特許文献１には、携帯電話の発呼番号など通信機の固有ＩＤをユーザ認証に用いる技術が開示されている。具体的に説明すると、ユーザにサービスを提供するサービスシステムがユーザＩＤと携帯電話の発呼番号を対応させて記憶するユーザＩＤ対応リストを備え、ユーザ端末からユーザＩＤを取得し、携帯電話から発呼番号を取得すると、取得したユーザＩＤと発呼番号の組み合わせがユーザＩＤリストにある場合に正規のユーザと判定し、例えば、サービスとしてファイルサーバへのアクセスを許可する技術が開示されている。
【０００３】
また、前記各種サービスの一つとして、クレジットカード決済サービスが存在する。所定の審査を経て、クレジットカードを配布された正規のユーザは、クレジットカードを利用することで、現金を用いることなく商取引の決済が可能となる。
【０００４】
【特許文献１】特許第３４９７７９９号公報
【発明の開示】
【発明が解決しようとする課題】
【０００５】
ところで、上記したクレジットカード決済サービスにおいて、クレジットカード利用の安全性の向上を簡易に実現することが現実的に難しいという問題がある。すなわち、クレジットカードの安全を向上させるためにＩＣカードの採用が盛んになってきているが、ＩＣカード専用のカードリーダをクレジットカードの利用を受け付ける店舗等で用意する必要があるので、安全性の向上を簡易に実現することが現実的に難しいという問題がある。
【０００６】
また、スキミングなど、クレジットカードの不正利用が横行していることから、クレジットカード利用の安全性の向上を簡易に実現することに対しては、強い社会的な要請も存在する。
【０００７】
そこで、この発明は、上述した従来技術の課題を解決するためになされたものであり、利用者の信用に基づいて配布されたクレジットカードなどのカード利用の安全性の向上を簡易に実現することが可能なカード利用処理システム、カード利用処理装置、カード利用処理方法およびカード利用処理プログラムを提供することを目的とする。
【課題を解決するための手段】
【０００８】
上述した課題を解決し、目的を達成するため、本発明は、所定の利用者に配布されたカードの挿入を受け付けて、当該カードを一意に特定するために付与されているカード番号を含んだカード利用情報を送信する利用情報送信端末と、当該カードの利用者が所有する通信機と、当該利用情報送信端末から受信したカード利用情報を用いて、当該カードの利用に関する処理を行うカード利用処理装置とからなるカード利用処理システムであって、前記カード利用処理装置は、前記カード番号と、前記通信機の固有情報である固有ＩＤとを対応付けてあらかじめ記憶する記憶手段と、前記利用情報送信端末から前記カード利用情報を受信した場合に、前記記憶手段に記憶されている前記固有ＩＤの中から、当該受信されたカード利用情報に含まれているカード番号に対応付けられた固有ＩＤを検索する固有ＩＤ検索手段と、前記固有ＩＤ検索手段により検索された固有ＩＤの通信機に対してコールを行い、自己の固有情報である装置固有ＩＤを発信元としてカード利用者に通知する発信元通知手段と、前記発信元通知手段によりカード利用者に通知された前記装置固有ＩＤに対して前記通信機からのコールバックがあった場合には、前記カードの利用に対する確認応答をカード利用者に要求する確認応答要求手段と、を備えたことを特徴とする。
【０００９】
また、本発明は、上記の発明において、前記利用情報送信端末は、前記カード番号の他に、当該カードの利用内容に関する情報を含んだカード利用情報を送信するものであって、前記確認応答要求手段は、前記発信元通知手段によりカード利用者に通知された前記装置固有ＩＤに対して前記通信機からのコールバックがあった場合には、前記カードの利用内容に関する情報の内容についての音声を発信して、当該カードの利用内容に対する確認応答をカード利用者に要求することを特徴とする。
【００１０】
また、本発明は、上記の発明において、前記確認応答要求手段は、前記発信元通知手段によりカード利用者に通知された前記装置固有ＩＤに対して前記通信機からのコールバックがあった場合には、前記利用情報送信端末にＷＥＢ画面を表示させて、当該カードの利用に対する確認応答をカード利用者に要求することを特徴とする。
【００１１】
また、本発明は、所定の利用者に配布されたカードの利用に関する処理を行うカード利用処理装置であって、ユーザが利用するカードを一意に特定するために付与されているカード番号と、当該カードの所有者であるユーザの通信機の固有情報である固有ＩＤとを対応付けてあらかじめ記憶する記憶手段と、ユーザが利用するカードの挿入を受け付けた利用情報送信端末から前記カード番号を受信した場合に、前記記憶手段に記憶されている前記固有ＩＤの中から、当該受信された利用情報に含まれているカード番号に対応付けられた固有ＩＤを検索する固有ＩＤ検索手段と、前記固有ＩＤ検索手段により検索された固有ＩＤの通信機に対してコールを行い、自己の固有情報である装置固有ＩＤを発信元としてユーザに通知する発信元通知手段と、前記発信元通知手段によりユーザに通知された前記装置固有ＩＤに対して前記通信機からのコールバックがあった場合には、前記カードの利用に対する確認応答をユーザに要求する確認応答要求手段と、を備えたことを特徴とする。
【００１２】
また、本発明は、所定の利用者に配布されたカードの挿入を受け付けて、当該カードを一意に特定するために付与されているカード番号を含んだカード利用情報を送信する利用情報送信端末と、当該カードの利用者が所有する通信機と、当該利用情報送信端末から受信したカード利用情報を用いて、当該カードの利用に関する処理をカード利用処理装置において実行するカード利用処理方法であって、前記カード番号と、前記通信機の固有情報である固有ＩＤとを対応付けてあらかじめ記憶部に記憶する記憶工程と、前記利用情報送信端末から前記カード利用情報を受信した場合に、前記記憶工程により記憶部にあらかじめ記憶されている前記固有ＩＤの中から、当該受信されたカード利用情報に含まれているカード番号に対応付けられた固有ＩＤを検索する固有ＩＤ検索工程と、前記固有ＩＤ検索工程により検索された固有ＩＤの通信機に対してコールを行い、自己の固有情報である装置固有ＩＤを発信元としてカード利用者に通知する発信元通知工程と、前記発信元通知工程によりカード利用者に通知された前記装置固有ＩＤに対して前記通信機からのコールバックがあった場合には、前記カードの利用に対する確認応答をカード利用者に要求する確認応答要求工程と、を含んだことを特徴とする。
【００１３】
また、本発明は、上記の発明において、前記利用情報送信端末は、前記カード番号の他に、当該カードの利用内容に関する情報を含んだカード利用情報を送信するものであって、前記確認応答要求工程は、前記発信元通知工程によりカード利用者に通知された前記装置固有ＩＤに対して前記通信機からのコールバックがあった場合には、前記カードの利用内容に関する情報の内容についての音声を発信して、当該カードの利用内容に対する確認応答をカード利用者に要求することを特徴とする。
【００１４】
また、本発明は、上記の発明において、前記確認応答要求工程は、前記発信元通知工程によりカード利用者に通知された前記装置固有ＩＤに対して前記通信機からのコールバックがあった場合には、前記利用情報送信端末にＷＥＢ画面を表示させて、当該カードの利用に対する確認応答をカード利用者に要求することを特徴とする。
【００１５】
また、本発明は、所定の利用者に配布されたカードの挿入を受け付けて、当該カードを一意に特定するために付与されているカード番号を含んだカード利用情報を送信する利用情報送信端末と、当該カードの利用者が所有する通信機と、当該利用情報送信端末から受信したカード利用情報を用いて、当該カードの利用に関する処理をカード利用処理装置であるコンピュータに実行させるカード利用処理プログラムであって、前記カード利用処理装置であるコンピュータに、前記カード番号と、前記通信機の固有情報である固有ＩＤとを対応付けてあらかじめ記憶部に記憶する記憶手順と、前記利用情報送信端末から前記カード利用情報を受信した場合に、前記記憶手順により記憶部にあらかじめ記憶されている前記固有ＩＤの中から、当該受信されたカード利用情報に含まれているカード番号に対応付けられた固有ＩＤを検索する固有ＩＤ検索手順と、前記固有ＩＤ検索手順により検索された固有ＩＤの通信機に対してコールを行い、自己の固有情報である装置固有ＩＤを発信元としてカード利用者に通知する発信元通知手順と、前記発信元通知手順によりカード利用者に通知された前記装置固有ＩＤに対して前記通信機からのコールバックがあった場合には、前記カードの利用に対する確認応答をカード利用者に要求する確認応答要求手順と、を実行させることを特徴とする。
【００１６】
また、本発明は、上記の発明において、前記利用情報送信端末は、前記カード番号の他に、当該カードの利用内容に関する情報を含んだカード利用情報を送信するものであって、前記確認応答要求手順は、前記発信元通知手順によりカード利用者に通知された前記装置固有ＩＤに対して前記通信機からのコールバックがあった場合には、前記カードの利用内容に関する情報の内容についての音声を発信して、当該カードの利用内容に対する確認応答をカード利用者に要求することを特徴とする。
【００１７】
また、本発明は、上記の発明において、前記確認応答要求手順は、前記発信元通知手順によりカード利用者に通知された前記装置固有ＩＤに対して前記通信機からのコールバックがあった場合には、前記利用情報送信端末にＷＥＢ画面を表示させて、当該カードの利用に対する確認応答をカード利用者に要求することを特徴とする。
【００１８】
また、本発明は、所定の利用者に配布されたカードの挿入を受け付けて、当該カードを一意に特定するために付与されているカード番号、および当該カードの利用内容に関する情報を含んだカード利用情報を送信する利用情報送信端末と、当該カードの利用者が所有する通信機と、当該利用情報送信端末から受信したカード利用情報を用いて、当該カードの利用に関する処理を行うカード利用処理装置とからなるカード利用処理システムであって、前記カード利用処理装置は、前記カード番号と、前記通信機の固有情報である固有ＩＤとを対応付けてあらかじめ記憶する記憶手段と、前記利用情報送信端末から前記カード利用情報を受信した場合に、前記記憶手段に記憶されている前記固有ＩＤの中から、当該受信されたカード利用情報に含まれているカード番号に対応付けられた固有ＩＤを検索する固有ＩＤ検索手段と、前記固有ＩＤ検索手段により検索された固有ＩＤの通信機に対してコールを行うコール手段と、前記コール手段により行われたコールが前記通信機によって着信されたことを示す着信応答を受け付けた場合に、前記カードの利用内容に関する情報の内容についての音声を発信して、当該カードの利用内容に対する確認応答をカード利用者に要求する確認応答要求手段と、を備えたことを特徴とする。
【００１９】
また、本発明は、上記の発明において、前記確認応答要求手段は、前記コール手段により行われたコールが前記通信機によって着信されたことを示す着信応答を受け付けた場合に、前記利用情報送信端末にＷＥＢ画面を表示させて、当該カードの利用に対する確認応答をカード利用者に要求することを特徴とする。
【発明の効果】
【００２０】
本発明によれば、カード番号と、通信機の固有情報である固有ＩＤとを対応付けてあらかじめ記憶し、カード番号を含んだカード利用情報を利用情報送信端末から受信した場合に、あらかじめ記憶されている固有ＩＤの中から、受信されたカード利用情報に含まれているカード番号に対応付けられた固有ＩＤを検索し、検索された固有ＩＤの通信機に対してコールを行い、自己の固有情報である装置固有ＩＤを発信元としてカード利用者に通知し、カード利用者に通知された装置固有ＩＤに対して通信機からのコールバックがあった場合には、カードの利用に対する確認応答をカード利用者に要求するので、カードの利用内容に関する情報の内容についてユーザからの確認があった場合にのみ、カードの利用に関する処理を行うことができ、カード利用の安全性の向上を簡易に実現することが可能である。
【００２１】
また、本発明によれば、カード利用者に通知された装置固有ＩＤに対して、カード利用者の所有する通信機からのコールバックがあった場合には、カードの利用内容に関する情報の内容についての音声を発信して、カードの利用内容に関する情報に対する確認応答をカード利用者に要求するので、カード利用者からのコールバックによって確立した通話内で、カードの利用内容についての確認をカード利用者に要求することができ、カード利用の安全性の向上を簡易かつ迅速に実現することが可能である。
【００２２】
また、本発明によれば、カード利用者に通知された装置固有ＩＤに対して、カード利用者が所有する通信機からのコールバックがあった場合には、利用情報送信端末にＷＥＢ画面を表示させて、カードの利用内容に関する情報に対する確認応答をカード利用者に要求するので、カード利用の安全性の向上を簡易かつ確実に実現することが可能である。
【発明を実施するための最良の形態】
【００２３】
以下に添付図面を参照して、この発明に係るカード利用処理システム、カード利用処理装置、カード利用処理方法およびカード利用処理プログラムの実施例を詳細に説明する。なお、以下では、本発明に係るカード利用処理システムの一実施形態を実施例１として説明した後に、本発明に含まれる他の実施形態（他の実施例）を説明する。
【実施例１】
【００２４】
以下の実施例１では、実施例１に係るカード利用処理システムの概要および特徴、このカード利用処理システムの構成および処理を順に説明し、最後に実施例１による効果を説明する。
【００２５】
［カード利用処理システムの概要および特徴（実施例１）］
まず、図１を用いて、実施例１に係るカード利用処理システムの概要および特徴を説明する。図１は、実施例１に係るカード利用処理システムの概要および特徴を説明するための図である。
【００２６】
実施例１に係るカード利用処理システムは、利用者の信用に基づいて発行されたクレジットカードの利用に関する処理を実行することを概要とするが、カード利用の安全性の向上を簡易に実現する点に主たる特徴がある。
【００２７】
この主たる特徴について具体的に説明すると、実施例１に係るカード利用システムは、店舗などに設置されるクレジットカードリーダと、クレジットカード利用者の所有するカード利用者通信機と、クレジットカードの利用に関する処理を実行するクレジットカード利用処理装置とで構成される。そして、インターネットを介して、クレジットカードリーダとクレジットカード利用処理装置とが通信可能な状態で接続され、公衆電話網を介して、カード利用者通信機とクレジットカード利用処理装置とが電話接続可能な状態にある。
【００２８】
また、クレジットカード利用処理装置は、クレジットカードを一意に特定するために付与されているカード番号、およびクレジットカード利用者が所有するカード利用者通信機の電話番号をクレジットカード利用者からあらかじめ取得しておき、クレジットカードのカード番号とカード利用者通信機の電話番号とを対応付けて記憶している。また、クレジットカード利用処理装置は、店舗などを特定するための事業者番号と事業者名とを対応付けて記憶している。
【００２９】
そして、クレジットカードリーダは、クレジットカードの挿入を受け付けると、クレジットカードから読取ったカード番号、およびカードの利用内容に関する情報（例えば、課金金額や事業者番号など）を含んだカード利用情報をクレジットカード利用処理装置に送信する。
【００３０】
クレジットカード利用処理装置は、クレジットカードリーダからカード利用情報を受信すると、あらかじめ記憶している電話番号の中から、カード利用情報に含まれているカード番号に対応した電話番号を検索する。また、あらかじめ記憶している事業者名の中から、カード利用情報に含まれる事業者番号に対応した事業者名もあわせて読み出しておく。続いて、クレジットカード利用処理装置は、あらかじめ割り振られている自己の電話番号の中から一つの電話番号を選択し、選択した電話番号を発信元として、検索したクレジットカード利用者の電話番号に対してワンコールする。
【００３１】
カード利用者通信機は、クレジットカード利用処理装置からワンコールを着信した後、着信履歴に残された発信元電話番号に対するコールバック操作をユーザから受け付けると、発信元電話番号に対してコールバックする。
【００３２】
クレジットカード利用処理装置は、カード利用者通信機からの着信を受け付けると、通話を確立し、カード利用に関する情報の内容（例えば、課金金額や事業者名）、およびカード利用に関する情報の内容について所定のボタン操作入力による確認応答を要求するトーキーをカード利用者通信機に発信する。例えば、クレジットカード利用処理装置は、カード利用に関する情報の内容を了承する場合には、所定のボタン操作入力を行うように要求するトーキーを発信する。
【００３３】
カード利用者通信機は、カード利用に関する情報について所定のボタン操作入力による確認応答を要求するトーキーをクレジットカード利用処理装置から受信すると、トーキーを出力してユーザに聴取させる。そして、カード利用者通信機は、ユーザからのボタン操作入力を受け付けると、受け付けたボタン操作入力をクレジットカード利用処理装置に送信する。
【００３４】
クレジットカード利用処理装置は、カード利用者通信機からボタン操作入力を受信すると、クレジットカードによる取引を完了させる取引完了処理を実行し、取引完了処理の内容をクレジットカードリーダに送信する。
【００３５】
クレジットカードリーダは、クレジットカード利用処理装置から取引完了処理の内容を受信して取引内容を印字出力する。そして、例えば、店舗の従業員等は、クレジットカード利用者に対してサインなどを要求する。
【００３６】
このようなことから、実施例１に係るカード利用処理システムは、上述した主たる特徴の如く、カードの利用内容に関する情報の内容についてユーザからの確認があった場合にのみ、カードの利用に関する処理を行うことができ、カード利用の安全性の向上を簡易に実現することが可能である。
【００３７】
［カード利用処理システムの構成（実施例１）］
次に、図２〜図４を用いて、実施例１に係るカード利用処理システムの構成を説明する。図２は、実施例１に係るカード利用処理システムの構成を示すブロック図である。図３は、実施例１に係るカード利用者電話番号情報記憶部に記憶される情報の構成例を示す図である。図４は、実施例１に係る自局電話番号情報記憶部に記憶される情報の構成例を示す図である。
【００３８】
同図に示すように、実施例１に係るカード利用処理システムは、店舗などに設置されるクレジットカードリーダ１０と、クレジットカード利用者の所有するカード利用者通信機２０と、クレジットカードの利用に関する処理を実行するクレジットカード利用処理装置３０とで構成される。そして、インターネット１を介して、クレジットカードリーダ１０とクレジットカード利用処理装置３０とが通信可能な状態で接続され、公衆電話網２を介して、カード利用者通信機２０とクレジットカード利用処理装置３０とが電話接続可能な状態にある。
【００３９】
クレジットカードリーダ１０は、店舗などに設置されるカード取引用の端末である。クレジットカードリーダ１０は、クレジットカードの挿入を受け付けると、クレジットカードから読取ったカード番号、およびカードの利用内容に関する情報（例えば、課金金額や事業者番号など）を含んだカード利用情報をクレジットカード利用処理装置３０に送信する。また、クレジットカードリーダ１０は、クレジットカード利用処理装置３０から取引完了処理の内容を受信して取引内容を印字出力する。
【００４０】
カード利用者通信機２０は、クレジットカード利用者の所有する通信機であり、例えば、携帯電話のように、通信機能を備えた通信端末である。カード利用者通信機２０は、クレジットカード利用処理装置３０からワンコールを着信した後、着信履歴に残された発信元電話番号に対するコールバック操作をユーザから受け付けると、発信元電話番号に対してコールバックする。
【００４１】
また、カード利用者通信機２０は、カード利用に関する情報について所定のボタン操作入力による確認応答を要求するトーキーをクレジットカード利用処理装置３０から受信すると、トーキーを出力してユーザに聴取させる。そして、カード利用者通信機２０は、ユーザからのボタン操作入力を受け付けると、受け付けたボタン操作入力をクレジットカード利用処理装置３０に送信する。
【００４２】
クレジットカード利用処理装置３０は、クレジットカードの利用に関する処理を実行する処理装置であり、図２に示すように、通信制御Ｉ／Ｆ部３１と、モデム３２と、記憶部３３と、制御部３４とから構成される。
【００４３】
通信制御Ｉ／Ｆ部３１は、クレジットカードリーダ１０との間でやり取りする各種情報に関する通信を制御する。モデム３２は、発信者番号読取機能を備え、カード利用者通信機２０からの着信を受け付けると発信者電話番号を読取って、後述するコール部３４ｃに送出する。
【００４４】
記憶部３３は、制御部３４による各種処理に必要なデータおよびプログラムを記憶する記憶部であり、特に本発明に密接に関連するものとしては、カード利用者電話番号情報記憶部３３ａと、自局電話番号情報記憶部３３ｂと、事業者情報記憶部３３ｃとを備える。なお、カード利用者電話番号情報記憶部３３ａは、特許請求の範囲に記載の「記憶手段」に対応する。
【００４５】
カード利用者電話番号情報記憶部３３ａは、クレジットカード利用者が使用するカード利用者通信機２０に関する情報を記憶する記憶部であり、具体的には、図３に例示するように、クレジットカードを一意に特定するために付与されているカード番号（例えば、「０００１」）と、クレジットカード利用者が所有するカード利用者通信機２０の電話番号（例えば、「電話番号Ａ」）とを対応づけてあらかじめ記憶して構成される。
【００４６】
自局電話番号情報記憶部３３ｂは、具体的には、図４に例示するように、クレジットカード利用処理装置３０に割り振られた電話番号（例えば、「電話番号Ｂ」など）に関する情報を記憶する記憶部である。
【００４７】
事業者情報記憶部３３ｃは、クレジットカードリーダ１０から送信されるカード利用情報の送信元である店舗を特定するための情報を記憶する記憶部であり、店舗を特定するために付与されている事業者番号と、事業者名とを対応付けて記憶して構成される。
【００４８】
制御部３４は、所定の制御プログラム、各種の処理手順などを規定したプログラムおよび所要データを格納するための内部メモリを有し、これらによって種々の処理を実行する処理部であり、特に本発明に密接に関連するものとしては、クレジットカード利用情報受信部３４ａと、電話番号検索部３４ｂと、コール部３４ｃと、通話確立処理部３４ｄと、クレジットカード利用確認処理部３４ｅとを備える。
【００４９】
なお、電話番号検索部３４ｂは、特許請求の範囲に記載の「固有ＩＤ検索手段」に対応し、コール部３４ｃは、同じく特許請求の範囲に記載の「発信元通知手段」に対応し、クレジットカード利用確認処理部３４ｅは、同じく特許請求の範囲に記載の「確認応答要求手段」に対応する。
【００５０】
クレジットカード利用情報受信部３４ａは、クレジットカードリーダ１０からカード利用情報を受信する。なお、カード利用情報には、クレジットカードを一意に特定するために付与されているカード番号、およびカードの利用内容に関する情報（例えば、課金金額や事業者番号など）が含まれている。
【００５１】
電話番号検索部３４ｂは、クレジットカード利用情報受信部３４ａによってカード利用情報が受信されると、カード利用者電話番号情報記憶部３３ａに記憶されている電話番号の中から、カード利用情報に含まれているカード番号に対応した電話番号を検索する。また、電話番号検索部３４ｂは、事業者情報記憶部３３ｃに記憶されている事業者名の中から、カード利用情報に含まれる事業者番号に対応した事業者名もあわせて読み出しておく。
【００５２】
コール部３４ｃは、自局電話番号情報記憶部３３ｂに記憶されている自己の電話番号の中から一つの電話番号を選択し、選択した電話番号を発信元として、電話番号検索部３４ｂにより検索されたクレジットカード利用者の電話番号に対して発信してワンコールする。
【００５３】
通話確立処理部３４ｄは、カード利用者通信機２０からの着信を受け付けたモデム３２から着信通知を受け付けると、カード利用者通信機２０との通話を確立する。
【００５４】
クレジットカード利用確認処理部３４ｅは、カード利用に関する情報の内容（例えば、課金金額や事業者名）、およびカード利用に関する情報の内容について所定のボタン操作入力による確認応答を要求するトーキーをカード利用者通信機２０に発信する。例えば、クレジットカード利用処理装置は、カード利用に関する情報の内容を了承する場合には、所定のボタン操作入力を行い、了承しない場合には、通話を切断するように要求するトーキーを発信する。
【００５５】
そして、クレジットカード利用確認処理部３４ｅは、カード利用者通信機２０からボタン操作入力を受信すると、クレジットカードによる取引を完了させる取引完了処理を実行し、取引完了処理の内容をクレジットカードリーダ１０に送信する。また、所定時間内にボタン操作入力を受信できなかった場合、もしくは通話が切断された場合には、カード利用に関する情報の内容が不正である旨のメッセージをクレジットカードリーダ１０に送信する。
【００５６】
なお、このクレジットカード利用処理装置３０は、既知のパーソナルコンピュータ、ワークステーションなどの情報処理装置に、上記した各機能を搭載することによって実現することもできる。
【００５７】
［カード利用処理システムの処理（実施例１）］
続いて、図５を用いて、実施例１に係るカード利用処理システムの処理を説明する。図５は、実施例１に係るカード利用処理システムの処理の流れを示すシーケンス図である。
【００５８】
同図に示すように、クレジットカードリーダ１０は、クレジットカードの挿入を受け付けると、クレジットカードから読取ったカード番号、およびカードの利用内容に関する情報（例えば、課金金額や事業者番号など）を含んだカード利用情報をクレジットカード利用処理装置３０に送信する（ステップＳ５０１）。
【００５９】
クレジットカード利用処理装置３０は、クレジットカードリーダ１０からカード利用情報を受信すると（ステップＳ５０２）、カード利用者電話番号情報記憶部３３ａに記憶されている電話番号の中から、カード利用情報に含まれているカード番号に対応した電話番号を検索する（ステップＳ５０３）。そして、クレジットカード利用処理装置３０は、自局電話番号情報記憶部３３ｂに記憶されている自己の電話番号の中から一つの電話番号を選択し、選択した電話番号を発信元として、電話番号検索部３４ｂにより検索されたクレジットカード利用者の電話番号に対して発信してワンコールする（ステップＳ５０４）。
【００６０】
カード利用者通信機２０は、クレジットカード利用処理装置３０からワンコールを着信した後（ステップＳ５０５）、着信履歴に残された発信元電話番号に対するコールバック操作をユーザから受け付けると、発信元電話番号に対してコールバックする（ステップＳ５０６）。
【００６１】
クレジットカード利用処理装置３０は、カード利用者通信機２０からの着信を受け付けると、カード利用者通信機２０との通話を確立する（ステップＳ５０７）。
【００６２】
そして、クレジットカード利用処理装置３０は、カード利用に関する情報の内容（例えば、課金金額や事業者名）、およびカード利用に関する情報の内容について所定のボタン操作入力による確認応答を要求するトーキーをカード利用者通信機２０に発信する（ステップＳ５０８）。
【００６３】
カード利用者通信機２０は、カード利用に関する情報について所定のボタン操作入力による確認応答を要求するトーキーをクレジットカード利用処理装置３０から受信すると（ステップＳ５０９）、トーキーを出力してユーザに聴取させる。そして、カード利用者通信機２０は、ユーザからのボタン操作入力を受け付けると、受け付けたボタン操作入力をクレジットカード利用処理装置３０に送信する（ステップＳ５１０）。
【００６４】
クレジットカード利用処理装置３０は、カード利用者通信機２０からボタン操作入力を受信すると（ステップＳ５１１）、クレジットカードによる取引を完了させる取引完了処理を実行し（ステップＳ５１２）、取引完了処理の内容をクレジットカードリーダ１０に送信する（ステップＳ５１３）。
【００６５】
クレジットカードリーダ１０は、クレジットカード利用処理装置３０から取引完了処理の内容を受信すると（ステップＳ５１４）、受信した取引内容を印字出力する（ステップＳ５１５）。
【００６６】
［実施例１による効果］
上述してきたように、実施例１によれば、クレジットカード利用処理装置３０は、クレジットカードのカード番号と、カード利用者通信機の電話番号とを対応付けてあらかじめ記憶し、カード番号およびカードの利用に関わる情報を含んだカード利用情報をクレジットカードリーダ１０から受信した場合に、あらかじめ記憶されている電話番号の中から、受信されたカード利用情報に含まれているカード番号に対応付けられた電話番号を検索し、検索された電話番号の通信機に対してコールを行い、自己の電話番号を発信元としてクレジットカード利用者に通知し、クレジットカード利用者に通知された電話番号に対して通信機からのコールバックがあった場合には、クレジットカードの利用内容に関する情報に対する確認応答をカード利用者に要求するので、クレジットカードの利用内容に関する情報の内容についてユーザからの確認があった場合にのみ、クレジットカードの利用に関する処理を行うことができ、カード利用の安全性の向上を簡易に実現することが可能である。
【００６７】
また、実施例１によれば、クレジットカード利用処理装置３０は、クレジットカードの利用者に通知された自己の電話番号に対して、クレジットカードの利用者が所有する通信機からのコールバックがあった場合には、クレジットカードの利用内容に関する情報の内容についてのトーキーを発信して、クレジットカードの利用内容に関する情報に対する確認応答をカード利用者に要求するので、クレジットカードの利用者からのコールバックによって確立した通話内で、クレジットカードの利用内容についての確認をクレジットカードの利用者に要求することができ、クレジットカードの利用の安全性の向上を簡易かつ迅速に実現することが可能である。
【００６８】
また、上記の実施例１では、クレジットカード利用処理装置３０は、クレジットカードリーダ１０からカード番号を受信すると、カード番号に対応する電話番号をカード利用者電話番号情報記憶部３３ａから検索してワンコールし、カード利用者通信機２０からのコールバック着信を受け付けて、カード利用者通信機２０との通話を確立し、カード利用に関する情報の内容（例えば、課金金額や事業者名）、およびカード利用に関する情報の内容について所定のボタン操作入力による確認応答を要求するトーキーをカード利用者通信機２０に発信する場合を説明した。
【００６９】
しかしながら、本発明はこれに限定されるものではなく、クレジットカード利用処理装置３０は、クレジットカードリーダ１０からカード番号を受信すると、カード利用者電話番号情報記憶部３３ａからカード番号に対応する電話番号を検索して発信し、カード利用者通信機２０との通話が確立されたことを示す着信応答を受け付けると、カード利用に関する情報の内容（例えば、課金金額や事業者名）、およびカード利用に関する情報の内容について所定のボタン操作入力による確認応答を要求するトーキーをカード利用者通信機２０に発信するようにしてもよい。
【００７０】
このようにすることで、カード利用者に対してカード利用内容を確認させるための処理を軽減させることが可能となる。
【００７１】
ところで、上記の実施例１では、クレジットカード利用処理装置３０が、クレジットカードリーダ１０からクレジットカードのカード利用情報を受信して、クレジットカードの利用内容ついてクレジットカードの利用者に確認応答を要求する場合を説明した。しかし、本発明はこれに限定されるものではなく、例えば、ネットワークを介した電子商取引を行うユーザが、自らが所有する端末からクレジットカードのカード利用情報をクレジットカード利用処理装置３０に送信する場合にも同様に適用することができる。
【００７２】
そこで、以下では、図６を用いて、この場合の処理を説明する。図６は、実施例１に係るカード利用処理システムの処理の流れを示すシーケンス図である。なお、図６に示すステップＳ６０３〜ステップＳ６１５までの処理は、上記で説明した図５に示すＳ５０３〜ステップＳ５１５までの処理と同様であるので説明を省略する。
【００７３】
図６に示すように、ネットワークを介した電子商取引を行うユーザから、例えば、クレジットカードのカード番号や取引金額等からなるカード利用情報の入力を受け付けると、ユーザ端末４０は、入力されたカード利用情報を電子商取引サービスの運営を行う店舗サーバに送信する（ステップＳ６０１）。店舗サーバは、提携しているクレジットカード利用処理装置３０に対して、ユーザ端末４０から受信したカード利用情報とともに、自己の事業者番号を転送する。電子商取引サービスを運営する店舗と提携しているクレジットカード利用処理装置３０は、店舗サーバから転送されたカード利用情報および事業者番号を受信する（ステップＳ６０２）。この後の処理は、図５を用いて上記で説明した処理と同様である。
【実施例２】
【００７４】
ところで、上記の実施例１では、クレジットカードの利用者にカード利用内容を確認させる場合を説明したが、銀行などに設置されているＡＴＭ（Automatic Teller Machine）にキャッシュカードを挿入して利用するユーザが、正規のユーザであるか否かを認証する場合にも応用することができる。そこで、以下の実施例２では、実施例２に係るカード利用処理システムの構成および処理を説明した後に、実施例２による効果を説明する。
【００７５】
［カード利用処理システムの構成（実施例２）］
最初に、図７〜図１０を用いて、実施例２に係るカード利用処理システムの構成を説明する。図７は、実施例２に係るカード利用処理システムの構成を示すブロック図である。図８〜図１０は、実施例２に係るＡＴＭ５０に出力表示される画面イメージを示す図である。
【００７６】
同図に示すように、実施例２に係るカード利用処理システムは、銀行などに設置されるＡＴＭ５０と、キャッシュカードを用いてＡＴＭを利用するＡＴＭ利用者の所有する携帯電話６０と、キャッシュカード等を用いたＡＴＭの利用に関する処理を実行するＡＴＭ利用処理装置７０とで構成される。そして、インターネット１を介して、ＡＴＭ５０とＡＴＭ利用処理装置７０とが通信可能な状態で接続され、公衆電話網２を介して、携帯電話６０とＡＴＭ利用処理装置７０とが電話接続可能な状態にある。
【００７７】
ＡＴＭ５０は、銀行などに設置される取引用の端末である。ＡＴＭ５０は、キャッシュカードの挿入を受け付けると、キャッシュカードから読取ったキャッシュカード番号とともに認証要求をＡＴＭ利用処理装置７０に送信する。
【００７８】
また、ＡＴＭ５０は、ＡＴＭ利用処理装置７０から認証画面データを受信すると、受信した認証画面データを出力表示する。ＡＴＭ５０には、例えば、図８に示すように、ＡＴＭ利用者の携帯電話６０にこれから着信がある旨と、発信元電話番号（例えば、「電話番号Ｂ」）に対してコールバックを要求する旨が表示される。
【００７９】
さらに、ＡＴＭ５０は、ＡＴＭ利用処理装置７０から認証画面データを再受信すると、再受信した認証画面データを出力表示する。ＡＴＭ５０には、例えば、図９に示すように、認証が完了した旨と、取引を希望する場合のボタン操作入力（例えば、「１＃」）が表示される。
【００８０】
そして、ＡＴＭ５０は、ＡＴＭ利用処理装置７０から取引画面データを受信すると、受信した取引画面データを出力表示する。ＡＴＭ５０には、例えば、図１０に示すように、通常の取引画面が表示される。
【００８１】
携帯電話６０は、ＡＴＭ利用処理装置７０からワンコールを着信した後、着信履歴に残された発信元電話番号（例えば、「電話番号Ｂ」）に対するコールバック操作をユーザから受け付けると、発信元電話番号に対してコールバックする。
【００８２】
また、携帯電話６０は、ユーザからのボタン操作入力を受け付けると、受け付けたボタン操作入力（例えば、「１＃」）をＡＴＭ利用処理装置７０に送信する。
【００８３】
ＡＴＭ利用処理装置７０は、キャッシュカード等を用いたＡＴＭの利用に関する処理を実行する装置であり、図７に示すように、通信制御Ｉ／Ｆ部７１と、モデム７２と、記憶部７３と、制御部７４とから構成される。
【００８４】
通信制御Ｉ／Ｆ部７１は、ＡＴＭ５０との間でやり取りする各種情報に関する通信を制御する。モデム７２は、携帯電話６０との電話接続を仲介し、後述するコール部７４ｃから携帯電話６０への発信があった場合に、発信元電話番号を携帯電話６０に通知する。また、モデム７２は、携帯電話６０からの着信を受け付けると、着信通知を後述する通話確立処理部７４ｄに送出するとともに、発信元電話番号を取得して後述するＡＴＭ利用確認処理部７４ｅに送出する。
【００８５】
記憶部７３は、制御部７４による各種処理に必要なデータおよびプログラムを記憶する記憶部であり、特に本発明に密接に関連するものとしては、ＡＴＭ利用者電話番号情報記憶部７３ａおよび自局電話番号情報記憶部７３ｂとを備える。なお、ＡＴＭ利用者電話番号情報記憶部７３ａは、特許請求の範囲に記載の「記憶手段」に対応する。
【００８６】
ＡＴＭ利用者電話番号情報記憶部７３ａは、キャッシュカード利用者が使用する携帯電話６０に関する情報を記憶する記憶部であり、例えば、キャッシュカードを一意に特定するために付与されているキャッシュカード番号と、キャッシュカード利用者が所有する携帯電話６０の電話番号とを対応づけてあらかじめ記憶して構成される。
【００８７】
自局電話番号情報記憶部７３ｂは、ＡＴＭ利用処理装置７０に割り振られた電話番号（例えば、「電話番号Ｂ」など）に関する情報を記憶する記憶部である。
【００８８】
制御部７４は、所定の制御プログラム、各種の処理手順などを規定したプログラムおよび所要データを格納するための内部メモリを有し、これらによって種々の処理を実行する処理部であり、特に本発明に密接に関連するものとしては、認証要求受信部７４ａと、画面データ送信部７４ｂと、コール部７４ｃと、通話確立処理部７４ｄと、ＡＴＭ利用確認処理部７４ｅとを備える。
【００８９】
なお、コール部７４ｃは、特許請求の範囲に記載の「固有ＩＤ検索手段」および「発信元通知手段」に対応し、画面データ送信部７４ｂ、通話確立処理部７４ｄおよびＡＴＭ利用確認処理部７４ｅは、同じく特許請求の範囲に記載の「確認応答要求手段」に対応する。
【００９０】
認証要求受信部７４ａは、キャッシュカード番号とともに認証要求をＡＴＭ５０から受信する。
【００９１】
画面データ送信部７４ｂは、認証要求受信部７４ａによってＡＴＭ５０からの認証要求が受信されると、認証時の最初の認証画面データ（例えば、図８参照）を生成してＡＴＭ５０に送信する。また、画面データ送信部７４ｂは、後述するＡＴＭ利用確認処理部７４ｅからの指示を受け付けて、２回目の認証画面データ（例えば、図９参照）を生成してＡＴＭ５０に送信する。さらに、画面データ送信部７４ｂは、後述するＡＴＭ利用確認処理部７４ｅからの指示を受け付けて、取引画面データ（例えば、図１０参照）を生成してＡＴＭ５０に送信する。
【００９２】
コール部７４ｃは、画面データ送信部７４ｂによって、認証時の最初の認証画面データ（例えば、図８参照）がＡＴＭ５０に送信された後、ＡＴＭ利用者電話番号情報記憶部７３ａに記憶されている電話番号の中から、キャッシュカード番号に対応した電話番号（例えば、「電話番号Ｂ」）を検索する。そして、コール部７４ｃは、自局電話番号情報記憶部７３ｂに記憶されている自己の電話番号の中から一つの電話番号を選択し、選択した電話番号を発信元として、検索された電話番号に対して発信してワンコールする。
【００９３】
通話確立処理部７４ｄは、モデム７２から着信通知を受け付けると、携帯電話６０との通話を確立する。
【００９４】
ＡＴＭ利用確認処理部７４ｅは、通話確立処理部７４ｄによる通話確立後、モデム７２から受け付けた発信元電話番号が、コール部７４ｃによって検索された電話番号と一致する場合には、キャッシュカードのユーザを正規のユーザであるものと認証して、認証が完了した旨と、取引を希望する場合のボタン操作入力（例えば、「１＃」）とを表示するための画面データの送信を画面データ送信部７４ｂに指示する。
【００９５】
そして、ＡＴＭ利用確認処理部７４ｅは、取引を希望する場合のボタン操作入力を携帯電話６０から受信した場合には、取引画面を表示するための取引画面データの送信を画面データ送信部７４ｂに指示する。
【００９６】
［カード利用処理システムの処理（実施例２）］
次に、図１１を用いて、実施例２に係るカード利用処理システムによる処理を説明する。図１１は、実施例２に係るカード利用処理システムによる処理の流れを示すシーケンス図である。
【００９７】
同図に示すように、ＡＴＭ５０は、キャッシュカードの挿入を受け付けると、キャッシュカードから読取ったキャッシュカード番号とともに認証要求をＡＴＭ利用処理装置７０に送信する（ステップＳ１１０１）。
【００９８】
ＡＴＭ利用処理装置７０は、キャッシュカード番号とともに認証要求をＡＴＭ５０から受信すると（ステップＳ１１０２）、認証時の最初の認証画面データ（例えば、図８参照）を生成してＡＴＭ５０に送信する（ステップＳ１１０３）。
【００９９】
ＡＴＭ５０は、ＡＴＭ利用処理装置７０から認証画面データを受信すると（ステップＳ１１０４）、受信した認証画面データを出力表示する（ステップＳ１１０５）。
【０１００】
ＡＴＭ利用処理装置７０は、認証時の最初の認証画面データ（例えば、図８参照）をＡＴＭ５０に送信した後、ＡＴＭ利用者電話番号情報記憶部７３ａに記憶されている電話番号の中から、キャッシュカード番号に対応した電話番号（例えば、「電話番号Ｂ」）を検索する（ステップＳ１１０６）。そして、コール部７４ｃは、自局電話番号情報記憶部７３ｂに記憶されている自己の電話番号の中から一つの電話番号を選択し、選択した電話番号を発信元として、検索された電話番号に対して発信してワンコールする（ステップＳ１１０７）。
【０１０１】
携帯電話６０は、ＡＴＭ利用処理装置７０からワンコールを着信した後（ステップＳ１１０８）、着信履歴に残された発信元電話番号（例えば、「電話番号Ｂ」）に対するコールバック操作をユーザから受け付けると、発信元電話番号に対してコールバックする（ステップＳ１１０９）。
【０１０２】
ＡＴＭ利用処理装置７０は、モデム７２から着信通知および発信者電話番号を受け付けると、携帯電話６０との通話を確立する（ステップＳ１１１０）。
【０１０３】
通話確立後、ＡＴＭ利用処理装置７０は、モデム７２から受け付けた発信元電話番号が、コール部７４ｃによって検索された電話番号と一致する場合には、キャッシュカードのユーザを正規のユーザであるものと認証して、認証が完了した旨と、取引を希望する場合のボタン操作入力（例えば、「１＃」）とを表示するための画面データをＡＴＭ５０に再送信する（ステップＳ１１１１）。
【０１０４】
ＡＴＭ５０は、ＡＴＭ利用処理装置７０から認証画面データを再受信すると（ステップＳ１１１２）、再受信した認証画面データを出力表示する（ステップＳ１１１３）。
【０１０５】
携帯電話６０は、ユーザからのボタン操作入力を受け付けると、受け付けたボタン操作入力（例えば、「１＃」）をＡＴＭ利用処理装置７０に送信する（ステップＳ１１１４）。
【０１０６】
ＡＴＭ利用処理装置７０は、取引を希望する場合のボタン操作入力を携帯電話６０から受信した場合には（ステップＳ１１１５）、取引画面を表示するための取引画面データをＡＴＭ５０に送信する（ステップＳ１１１６）。
【０１０７】
ＡＴＭ５０は、ＡＴＭ利用処理装置７０から取引画面データを受信すると（ステップＳ１１１７）、受信した取引画面データを出力表示する（ステップＳ１１１８）。
【０１０８】
［実施例２による効果］
上述してきたように、実施例２によれば、ＡＴＭ利用者に通知されたＡＴＭ利用処理装置７０の電話番号に対して、ＡＴＭ利用者が所有する携帯電話６０からのコールバックがあった場合には、ＡＴＭ５０にＷＥＢ画面を表示させて、キャッシュカードの利用に対する確認応答（通常の取引処理を行うか否かを確認するための応答）をカード利用者に要求するので、カード利用の安全性の向上を簡易かつ確実に実現することが可能である。
【０１０９】
また、上記の実施例２では、ＡＴＭ利用処理装置７０は、キャッシュカード番号とともに認証要求をＡＴＭ５０から受信すると、キャッシュカード番号に対応した電話番号をＡＴＭ利用者電話番号情報記憶部７３ａから検索してワンコールし、携帯電話６０からのコールバック着信を受け付けて、携帯電話６０との通話を確立し、ＡＴＭ５０に出力表示させるＷＥＢ画面を介して、取引を希望する場合のボタン操作入力をユーザに要求する場合を説明した。
【０１１０】
しかしながら、本発明はこれに限定されるものではなく、ＡＴＭ利用処理装置７０は、キャッシュカード番号とともに認証要求をＡＴＭ５０から受信すると、ＡＴＭ利用者電話番号情報記憶部７３ａからキャッシュカード番号に対応する電話番号を検索して発信し、携帯電話６０との通話が確立されたことを示す着信応答を受け付けると、携帯電話６０との通話を切断し、ＡＴＭ５０に出力表示させるＷＥＢ画面を介して、取引を希望する場合のボタン操作入力をユーザに要求するようにしてもよい。
【０１１１】
このようにすることで、カード利用者に対してカード利用内容を確認させるための処理を軽減させることが可能となる。
【実施例３】
【０１１２】
さて、これまで本発明の実施例について説明したが、本発明は上述した実施例以外にも、種々の異なる形態にて実施されてよいものである。そこで、以下では、本発明に含まれる他の実施形態についての実施例を説明する。
【０１１３】
（１）装置構成等
図２に示したクレジットカード利用処理装置３０、または図７に示したＡＴＭ利用処理装置７０の各構成要素は機能概念的なものであり、必ずしも物理的に図示の如く構成されていることを要しない。すなわち、クレジットカード利用処理装置３０またはＡＴＭ利用処理装置７０の分散・統合の具体的形態は図示のものに限られず、例えば、クレジットカード利用処理装置３０およびＡＴＭ利用処理装置７０の各制御部が実現するインターネット通信機能と電話通信機能とを分離して、インターネット通信機能をＷＥＢサーバで実現し、電話通信機能をＩＶＲ装置（Interactive Voice Response：音声自動応答装置）で実現するなど、その全部または一部を、各種の負荷や使用状況などに応じて、任意の単位で機能的または物理的に分散・統合して構成することができる。さらに、クレジットカード利用処理装置３０およびＡＴＭ利用処理装置７０の各制御部にて行なわれる各処理機能（図５および図１１等参照）は、その全部または任意の一部が、ＣＰＵおよび当該ＣＰＵにて解析実行されるプログラムにて実現され、あるいは、ワイヤードロジックによるハードウェアとして実現され得る。
【０１１４】
（２）カード利用処理プログラム
ところで、上記の実施例で説明したクレジットカード利用処理装置３０またはＡＴＭ利用処理装置７０の各種の処理（例えば、図５または図１１参照）は、あらかじめ用意されたプログラムをパーソナルコンピュータやワークステーションなどのコンピュータシステムで実行することによって実現することができる。そこで、以下では、図１２を用いて、上記の実施例１で説明したクレジットカード利用処理装置３０と同様の機能を有するカード利用処理プログラムを実行するコンピュータの一例を説明する。図１２は、カード利用処理プログラムを実行するコンピュータを示す図である。
【０１１５】
同図に示すように、クレジットカード利用処理装置としてコンピュータ８０は、入力部８１、出力部８２、通信制御Ｉ／Ｆ部８３、ＨＤＤ８４、ＲＡＭ８５およびＣＰＵ８６をバス９０で接続して構成される。
【０１１６】
ここで、入力部８１は、ユーザから各種データの入力を受け付ける。出力部８２は、各種情報を表示する。通信制御Ｉ／Ｆ部８３は、ネットワークを介して、他の装置（例えば、クレジットカードリーダ１０、図２等参照）との間でやり取りされる各種データに関する通信を制御する。ＲＡＭ８５は、各種情報を一時的に記憶する。ＨＤＤ８４は、ＣＰＵ８６による各種処理の実行に必要な情報を記憶する。ＣＰＵ８６は、各種演算処理を実行する。
【０１１７】
そして、ＨＤＤ８４には、図１２に示すように、上記の実施例１に示したクレジットカード利用処理装置の各処理部と同様の機能を発揮するカード利用処理プログラム８４ａと、クレジットカード利用処理に用いられるカード利用処理用データ８４ｂとがあらかじめ記憶されている。なお、このカード利用処理プログラム８４ａを適宜分散させて、ネットワークを介して通信可能に接続された他のコンピュータの記憶部に記憶させておくこともできる。
【０１１８】
そして、ＣＰＵ８６が、このカード利用処理プログラム８４ａをＨＤＤ８４から読み出してＲＡＭ８５に展開することにより、図１２に示すように、カード利用処理プログラム８４ａはカード利用処理プロセス８５ａとして機能するようになる。そして、カード利用処理プロセス８５ａは、カード利用処理用データ８４ｂ等をＨＤＤ８４から読み出して、ＲＡＭ８５において自身に割り当てられた領域に展開し、この展開したデータ等に基づいて各種処理を実行する。なお、カード利用処理プロセス８５ａは、図２に示したクレジットカード利用確認処理部３４ｅに対応する。
【０１１９】
なお、上記したカード利用処理プログラム８４ａについては、必ずしも最初からＨＤＤ８４に記憶させておく必要はなく、例えば、コンピュータ８０に挿入されるフレキシブルディスク（ＦＤ）、ＣＤ−ＲＯＭ、ＤＶＤディスク、光磁気ディスク、ＩＣカードなどの「可搬用の物理媒体」、さらには、公衆回線、インターネット、ＬＡＮ、ＷＡＮなどを介してコンピュータ８０に接続される「他のコンピュータ（またはサーバ）」などに各プログラムを記憶させておき、コンピュータ８０がこれらから各プログラムを読み出して実行するようにしてもよい。
【産業上の利用可能性】
【０１２０】
以上のように、本発明に係るカード利用処理システム、カード利用処理装置、カード利用処理方法およびカード利用処理プログラムは、利用者の信用に基づいて発行されたクレジットカードなどのカード利用に関する処理を実行することに有用であり、特に、カード利用の安全性の向上を簡易に実現することに適する。
【図面の簡単な説明】
【０１２１】
【図１】実施例１に係るカード利用処理システムの概要および特徴を説明するための図である。
【図２】実施例１に係るカード利用処理システムの構成を示すブロック図である。
【図３】実施例１に係るカード利用者電話番号情報記憶部に記憶される情報の構成例を示す図である。
【図４】実施例１に係る自局電話番号情報記憶部に記憶される情報の構成例を示す図である。
【図５】実施例１に係るカード利用処理システムの処理の流れを示すシーケンス図である。
【図６】実施例１に係るカード利用処理システムの処理の流れを示すシーケンス図である。
【図７】実施例２に係るカード利用処理システムの構成を示すブロック図である。
【図８】実施例２に係るＡＴＭ５０に出力表示される画面イメージを示す図である。
【図９】実施例２に係るＡＴＭ５０に出力表示される画面イメージを示す図である。
【図１０】実施例２に係るＡＴＭ５０に出力表示される画面イメージを示す図である。
【図１１】実施例２に係るカード利用処理システムによる処理の流れを示すシーケンス図である。
【図１２】カード利用処理プログラムを実行するコンピュータを示す図である。
【符号の説明】
【０１２２】
１  インターネット
２  公衆電話網
１０  クレジットカードリーダ
２０  カード利用者通信機
３０  クレジットカード利用処理装置
３１  通信制御Ｉ／Ｆ部
３２  モデム
３３  記憶部
３３ａ  カード利用者電話番号情報記憶部
３３ｂ  自局電話番号情報記憶部
３３ｃ  事業者情報記憶部
３４  制御部
３４ａ  クレジットカード利用情報受信部
３４ｂ  電話番号検索部
３４ｃ  コール部
３４ｄ  通話確立処理部
３４ｅ  クレジットカード利用確認処理部
４０  ユーザ端末
５０  ＡＴＭ
６０  携帯電話
７０  ＡＴＭ利用処理装置
７１  通信制御Ｉ／Ｆ部
７２  モデム
７３  記憶部
７３ａ  ＡＴＭ利用者電話番号情報記憶部
７３ｂ  自局電話番号情報記憶部
７４  制御部
７４ａ  認証要求受信部
７４ｂ  画面データ送信部
７４ｃ  コール部
７４ｄ  通話確立処理部
７４ｅ  ＡＴＭ利用確認処理部
８０  コンピュータ（クレジットカード利用処理装置）
８１  入力部
８２  出力部
８３  通信制御Ｉ／Ｆ部
８４  ＨＤＤ（Hard Disk Drive）
８４ａ  カード利用処理プログラム
８４ｂ  カード利用処理用データ
８５  ＲＡＭ（Random Access Memory）
８５ａ  カード利用処理プロセス
８６  ＣＰＵ（Central Processing Unit）
９０  バス
【図１】
0004634422.tif 000002
【図２】
0004634422.tif 000003
【図３】
0004634422.tif 000004
【図４】
0004634422.tif 000005
【図５】
0004634422.tif 000006
【図６】
0004634422.tif 000007
【図７】
0004634422.tif 000008
【図８】
0004634422.tif 000009
【図９】
0004634422.tif 000010
【図１０】
0004634422.tif 000011
【図１１】
0004634422.tif 000012
【図１２】
0004634422.tif 000013